(57)【要約】【課題】作物や農地や肥料に適した効率のよい施肥と耕耘とを実行できるロータリ耕耘装置を提供すること。【解決手段】トラクタの後部に装着されて地面をすき起こすように、多数の耕耘爪が回転軸に装着されて設けられた回転耕耘爪ユニット１４を備えるロータリ耕耘装置であって、トラクタの走行に伴って、回転耕耘爪ユニット１４の前方にある表土を掬い上げて回転耕耘爪ユニット１４の上方を経て回転耕耘爪ユニット１４の後方へ落下させるように案内する案内板３１と、案内板３１の上方に肥料を貯留させる肥料ホッパー２１を設けて肥料ホッパー２１から案内板３１の下方であって回転耕耘爪ユニット１４の前方へ延ばした肥料供給管２２とを備える。【選択図】図１
2013055892.tif 000002
【特許請求の範囲】
【請求項１】
トラクタの後部に装着されて地面をすき起こすように、多数の耕耘爪が回転軸に装着されて設けられた回転耕耘爪ユニットを備えるロータリ耕耘装置であって、
前記トラクタの走行に伴って、前記回転耕耘爪ユニットの前方にある表土を掬い上げて該回転耕耘爪ユニットの上方を経て該回転耕耘爪ユニットの後方へ落下させるように案内する案内板と、
該案内板の上方に肥料を貯留させる肥料ホッパーを設けて該肥料ホッパーから該案内板の下方であって前記回転耕耘爪ユニットの前方へ延ばした肥料供給管とを備えることを特徴とするロータリ耕耘装置。
【請求項２】
前記回転耕耘爪ユニット及び前記案内板の前方に配されて、前記回転耕耘爪ユニットに依るよりも浅く表土を耕耘すると共に、耕耘した土を前記案内板の上方を経て後方へ送るように作動する前方回転耕耘爪ユニットを備え、
該前方回転耕耘爪ユニットによって耕耘された表土を掬うように前記案内板の先端部が、前記回転耕耘爪ユニットの前方へ延設されていることを特徴とする請求項１記載のロータリ耕耘装置。
【請求項３】
前記案内板の先端部が、中央が尖った形状に設けられ、該先端部が表土へ食い込んで土を掬い上げるように前方へ延設されていることを特徴とする請求項１又は請求項２に記載のロータリ耕耘装置。
【請求項４】
前記案内板に載った土を前記回転耕耘爪ユニットの後方に送るように、複数の送り爪が回転軸に装着されて設けられた回転送り爪ユニットを備えることを特徴とする請求項１乃至３のいずれか１項に記載のロータリ耕耘装置。
【請求項５】
前記案内板の下方に位置する前記肥料供給管を筒体として該筒体の内部にスクリューを備えることを特徴とする請求項１乃至４のいずれか１項に記載のロータリ耕耘装置。
【請求項６】
前記回転耕耘爪ユニットが、高さ位置を調整できるように、上端部が軸着されて下端部が昇降可能に回動する回動アームの該下端部に回転自在に装着されていることを特徴とする請求項１乃至５のいずれか１項に記載のロータリ耕耘装置。
【請求項７】
前記案内板は、前記回転耕耘爪ユニットの上方を覆い、前部に土を掬い上げる上り斜面部を有し、後部に土を後方へ落下させる下り斜面部を有することを特徴とする請求項１乃至６のいずれか１項に記載のロータリ耕耘装置。
【請求項８】
前記案内板の両脇の縁部に、掬い上げた土の脱落を防止する直立ガイド部を設けたことを特徴とする請求項１乃至７のいずれか１項に記載のロータリ耕耘装置。
【発明の詳細な説明】
【技術分野】
【０００１】
この発明は、トラクタの後部に装着されて地面をすき起こすように、多数の耕耘爪が回転軸に装着されて設けられた回転耕耘爪ユニットを備えるロータリ耕耘装置に関する。
【背景技術】
【０００２】
施肥をしながら耕耘する際、根を深く張る作物のための施肥は、土壌の表面や地表から浅い部分（以下、「表土」という。）よりも作物が根を張る部分の土中に集中して行うことが効率的である。また、傾斜地など雨によって肥料が流出しやすい農地や石灰窒素のような風で舞い上がりやすい肥料も一定の深さの土中に施肥することが望まれる。
【０００３】
施肥を土中の一定深度に行うための技術として、従来ロータリ耕耘装置の回転耕耘爪ユニットの後ろに施肥パイプを並列して配設する技術がある（特許文献１参照）。しかしながら、この場合、肥料を土中に十分攪拌できず、施肥装置の構成も複雑となる。
【０００４】
また、回転耕耘爪ユニットの前のサブソイラの後部に導管を配置して肥料を散布する技術もある（例えば、特許文献２参照）。この場合はサブソイラの下端部から肥料が排出され土中の比較的深い位置に一旦施肥されるが、耕耘によって攪拌されて地表部付近にも施肥されてしまい効率が悪い。
【先行技術文献】
【特許文献】
【０００５】
【特許文献１】特開平１−２９６９１２号公報（第１頁）
【特許文献２】実開平６−３８４０６号公報（第１頁）
【発明の概要】
【発明が解決しようとする課題】
【０００６】
根を深く張る作物のために施肥を行いながら耕耘するときに用いるロータリ耕耘装置に関して解決しようとする問題点は、表土を除いた土中を対象とした施肥及び耕耘手段が提案されていないことである。
そこで本発明の目的は、作物や農地や肥料に適した効率のよい施肥と耕耘とを実行できるロータリ耕耘装置を提供することにある。
【課題を解決するための手段】
【０００７】
本発明は、上記目的を達成するために次の構成を備える。
本発明にかかるロータリ耕耘装置の一形態によれば、トラクタの後部に装着されて地面をすき起こすように、多数の耕耘爪が回転軸に装着されて設けられた回転耕耘爪ユニットを備えるロータリ耕耘装置であって、前記トラクタの走行に伴って、前記回転耕耘爪ユニットの前方にある表土を掬い上げて該回転耕耘爪ユニットの上方を経て該回転耕耘爪ユニットの後方へ落下させるように案内する案内板と、該案内板の上方に肥料を貯留させる肥料ホッパーを設けて該肥料ホッパーから該案内板の下方であって前記回転耕耘爪ユニットの前方へ延ばした肥料供給管とを備える。
【０００８】
また、本発明にかかるロータリ耕耘装置の一形態によれば、前記回転耕耘爪ユニット及び前記案内板の前方に配されて、前記回転耕耘爪ユニットに依るよりも浅く表土を耕耘すると共に、耕耘した土を前記案内板の上方を経て後方へ送るように作動する前方回転耕耘爪ユニットを備え、該前方回転耕耘爪ユニットによって耕耘された表土を掬うように前記案内板の先端部が、前記回転耕耘爪ユニットの前方へ延設されていることを特徴とすることができる。
【０００９】
また、本発明にかかるロータリ耕耘装置の一形態によれば、前記案内板の先端部が、中央が尖った形状に設けられ、該先端部が表土へ食い込んで土を掬い上げるように前方へ延設されていることを特徴とすることができる。
【００１０】
また、本発明にかかるロータリ耕耘装置の一形態によれば、前記案内板に載った土を前記回転耕耘爪ユニットの後方に送るように、複数の送り爪が回転軸に装着されて設けられた回転送り爪ユニットを備えることを特徴とすることができる。
【００１１】
また、本発明にかかるロータリ耕耘装置の一形態によれば、前記案内板の下方に位置する前記肥料供給管を筒体として該筒体の内部にスクリューを備えることを特徴とすることができる。
【００１２】
また、本発明にかかるロータリ耕耘装置の一形態によれば、前記回転耕耘爪ユニットが、高さ位置を調整できるように、上端部が軸着されて下端部が昇降可能に回動する回動アームの該下端部に回転自在に装着されていることを特徴とすることができる。
【００１３】
また、本発明にかかるロータリ耕耘装置の一形態によれば、前記案内板は、前記回転耕耘爪ユニットの上方を覆い、前部に土を掬い上げる上り斜面部を有し、後部に土を後方へ落下させる下り斜面部を有することを特徴とすることができる。
【００１４】
また、本発明にかかるロータリ耕耘装置の一形態によれば、前記案内板の両脇の縁部に、掬い上げた土の脱落を防止する直立ガイド部を設けたことを特徴とすることができる。
【発明の効果】
【００１５】
本発明にかかるロータリ耕耘装置によれば、表土の下に、施肥して耕耘された肥料混合土を位置させることができるため、作物の生育や農地や肥料に適した施肥と耕耘を効率よく行うことができるという特別有利な効果を奏する。
【図面の簡単な説明】
【００１６】
【図１】本発明にかかるロータリ耕耘装置の形態例を模式的に示す側面図である。
【図２】図１に示すロータリ耕耘装置の形態例の部分破断平面図である。
【図３】肥料供給管の形態例の内部構造を模式的に示す断面図である。
【図４】本発明にかかるロータリ耕耘装置の他の形態例を模式的に示す側面図である。
【発明を実施するための形態】
【００１７】
以下、本発明にかかるロータリ耕耘装置の形態例を添付図面（図１乃至図３）に基づいて説明する。
図１に示すように、このロータリ耕耘装置は、トラクタ１の後部に装着され、主に耕耘部１０、施肥部２０及び表土案内部３０とから構成されている。なお、図１において左右方向を前後といい、左方向を走行方向という。
【００１８】
耕耘部１０は、トラクタ１の動力をロータリ耕耘装置へ伝達するＰＴＯ軸とギヤケースとを内装したメインビーム１１と、メインビーム１１から走行方向に対し側方へ伸びた伝動軸を介しギヤやチェーンなどの動力伝達機構を収容する左右に一対の伝動ケースとしても設けられている回動アーム１２と、その一対の回動アーム１２の下部間に横架した回転軸１３に多数の耕耘爪が固設されて設けられている回転耕耘爪ユニット１４とを備えている。これらは従来のロータリ耕耘装置が備えているものである。
【００１９】
施肥部２０は、肥料を貯留する肥料ホッパー２１と、回転耕耘爪ユニット１４の前方へ肥料を供給する肥料供給管２２と、肥料ホッパー２１の肥料を肥料供給管２２へ導く肥料誘導管２３とを備え、肥料供給管２２の内部には肥料を攪拌しながら移動させるスクリュー２５を備えている。
【００２０】
肥料ホッパー２１は、既知のものであり、メインビーム１１の上部や左右に設けられる支持フレーム（図示せず）に装着・固定されて設けられている。
【００２１】
肥料供給管２２は、図１乃至図３に示すように、筒体とし、後述する案内板３１の右側部に垂下された肥料誘導管２３に右端上部が連結される。肥料供給管２２は、回転耕耘爪ユニット１１の前方で回転軸１３に沿って水平に配され案内板３１の下方に固定されている。肥料供給管２２は、図１及び図３に示すように、下部に肥料を落下させるための施肥孔２４が一定間隔に形成され、それぞれの施肥孔２４に肥料が万遍なく行き渡るようにスクリュー２５を備えている。このスクリュー２５は、メインビーム１１から延びた伝動軸に連結されたベルト（図示せず）でプーリー２６を介して回転し、肥料誘導管２３との連結部付近に落下した肥料を肥料供給管２２の奥へ移動させる。施肥孔２４より落下した肥料はトラクタ１の走行に伴い回転耕耘爪ユニット１４によって土中に攪拌され肥料混合土１００が生成される。なお、肥料誘導管２３は可撓性のある材料で構成することができる。
【００２２】
本形態例の表土案内部３０は、案内板３１、複数の送り爪が回転軸３３に装着されて設けられた回転送り爪ユニット３２、及び直立ガイド部３４を備えている。
【００２３】
案内板３１は、トラクタの走行に伴って、回転耕耘爪ユニット１４の前方にある表土を掬い上げてその回転耕耘爪ユニット１４の上方を経てその回転耕耘爪ユニット１１の後方へ落下させるものである。案内板３１は、図１及び図３に示すように、一対の伝動ケース(回動アーム１２)の内側に配され、肥料供給管２２と回転耕耘爪ユニット１４を覆うように位置し、先端部３１ａが前方へ延設されている。案内板３１は、前部に土を掬い上げる先端部３１ａと上り斜面部３１ｂを有し、後部に土を後方へ落下させる下り斜面部３１ｃを有している。案内板３１は、可撓性のある鉄、アルミ等の金属や軽量プラスチック、ＦＲＰ等で構成される。また、案内板３１は、その下方に位置される肥料供給管２２と一体的に構成することもできる。
【００２４】
案内板３１の先端部３１ａは、図２に示すように、表土へ食い込んで土を掬い上げることを容易にするため、く字状やＵ字状などのように中央が尖った形状に形成される。先端部３１ａには補強のため切刃３１ｄを固定することができる。この切刃３１ｄの形状は、先端部３１ａの形状に沿って、帯状や先端部３１ａに嵌めるカバー状にすることができる。先端部３１ａが表土を掬い上げる深さは、作物や表土の状況によって調整できるようにしてもよい。例えば、深さ調整機構を、メインビーム１１と案内板３１との間に配することもできる。
【００２５】
回転軸３３に複数の送り爪が装着されて設けられた回転送り爪ユニット３２は、案内板３１が掬い上げた表土を案内板３１の上部に滞留させないで回転耕耘爪ユニット１４の後方に送れるように設けられている。図１に示すように、回転送り爪ユニット３２が案内板３１の上面に接しない程度に、図示しない支持フレームなどによって回転軸３３が回転自在に支持されて設置されている。この回転軸３３は、スクリュー２５と同様にベルトなどによって伝動軸の回転に連動されたり、スクリュー２５のプーリー２６に連動させて回転させたりすることができる。回転軸３３の回転速度は、トラクタ１の走行速度と同程度でよい。なお、回転送り爪ユニット３２の形状は、図１及び図２に示すように、回転軸３３の軸方向に延びる帯板状の送り爪を複数固着した形態にすることで比較的簡易に構成できる。
表土を案内板３１の上部に滞留させないことで、肥料混合土１００の上を表土が切れ目なく覆うようにすることができる。また、掬い上げた表土が停滞しないことにより、トラクタ１の牽引に要する負担を増加させないようにすることができる。
【００２６】
直立ガイド部３４、３４は、図１及び図２に示すように、案内板３１の左右両脇の縁部に上り斜面部３１ｂから下り斜面部３１ｃへかけて掬い上げる表土の深さ程度或いはそれ以上の高さで連続して形成される。この直立ガイド部３４によって案内板３１の前端部３１ａで掬い上げた土が案内板３１の左右方向へ脱落することを防止できる。
【００２７】
これらの案内板３１、回転送り爪ユニット３２、及び直立ガイド部３４、３４を備えた表土案内部３０の構成によって、トラクタ１の走行に伴って表土が掬い上げられ、回転耕耘爪ユニット１４の後方へ送られる。これにより、表土に不必要な又は飛散しやすい肥料が与えられることなく、施肥されて耕耘された肥料混合土１００を覆うことができるため効率のよい施肥が可能となる。
【００２８】
次に、図１乃至図３に示した形態例に加えて、前記回転耕耘爪ユニットの前方に別の回転耕耘爪ユニット（以下、「前方回転耕耘爪ユニット」という）４１を備えた形態例について図４に基づいて説明する。なお、以上に説明した構成と同等の構成には、同一の符号を付して詳細な説明を省略する。
【００２９】
前方回転耕耘爪ユニット４１は、従来の回転耕耘爪ユニットと同様メインビーム１１から伝動軸（図示せず）及び前方の伝導ケース４２内の動力伝達機構を経て回転軸が回転することで土を耕耘する。この前方回転耕耘爪ユニット４１は、回転耕耘爪ユニット１４に依るよりも浅く表土を耕耘する。この前方回転耕耘爪ユニット４１が表土を耕耘する深さは作物に応じて、高さ位置の調整機構を設けたり、耕耘爪の長さや大きさを変えたりすることで調整ができる。
【００３０】
前方回転耕耘爪ユニット４１によって巻き上げられた土は案内板３１によって回転耕耘爪ユニット１４の上部を通過して後方へ送られる。この案内板３１の下に肥料供給管２２が位置しているため、表土には不必要な又は飛散しやすい肥料が与えられることなく後方へ送られ、施肥されて回転耕耘爪ユニット１４によって耕耘された肥料混合土１００を覆うことができる。これによって十分耕耘された二層の土壌が作られる。
【００３１】
また、本発明にかかる形態例においては、図４に示すように、回転耕耘爪ユニット１４は、高さ位置を調整できるように、上端部が軸着されて下端部が昇降可能に回動する回動アーム１２のその下端部に回転自在に装着されている。
【００３２】
回転耕耘爪ユニット１４の昇降手段としては、既知の手段を利用すればよい。例えば、図４に示すように、メインビーム１１の後方へ突出して下方向へ傾斜させたビーム端部５１に昇降ハンドル５２を備えたネジ軸５３を螺合させ、このネジ軸５３の先端を回動アーム１２の連結部５４に回転可能に連結した構成とすることができる。これによれば、昇降ハンドル５２の回転によってネジ軸５３が後方上部又は前方下部へ移動することで回動アーム１２を昇降できる。この昇降に伴って回動アーム１２の先端部に装着されている回転耕耘爪ユニット１４の高さ位置を調整できる。
【００３３】
昇降ハンドル５２によって回転耕耘爪ユニット１４を下げた場合は深く耕耘することができるので肥料混合土１００の層を厚くすることができる。また、前方回転耕耘爪ユニット４１と回転耕耘爪ユニット１４との高さを調整することにより、表土と肥料混合土１００の各層の厚みを調整することができる。また、前方回転耕耘爪ユニット４１と回転耕耘爪ユニット１４の双方を下げれば、より深い位置の肥料混合土１００を得ることができる。
【００３４】
本実施形態の案内板３１は、前方回転耕耘爪ユニット４１によって耕耘された表土と施肥されて回転耕耘爪ユニット１４によって耕耘された肥料混合土１００とが混ざらないように先端部３１ａは前方回転耕耘爪ユニット４１が回転する領域の下方部と略同じ高さに位置させている。なお、本実施形態の案内板３１に、図１の形態例の切刃３１ｄや直立ガイド部３４を設け、図１の形態例の回転送り爪ユニット３２を加えることで、表土を確実に掬い上げて肥料混合土１００の上を覆うようにすることも勿論可能である。
【００３５】
次に、本発明にかかるロータリ耕耘装置の応用例について説明する。
以上に説明した肥料ホッパー２１や肥料供給管２２に加えて、別のホッパーや肥料供給管を設け、案内板３１の前方に肥料を供給できるようにしてもよい。これによれば、例えば耕耘された二層の土壌のうち、深い層には遅効性の肥料を供給し、浅い層には速効性の肥料を供給するなど、二層の土壌に対して同時に施肥できる。
また、肥料供給管２２に施肥巾を調整できるように、複数の施肥孔２４の一部を塞ぐように機能する施肥巾の調整機構を設けてもよい。これによれば、複数の施肥孔２４のうち開いている部分の巾を作物の畝巾に合わせて調整でき、肥料を効率よく施肥できる。
さらに、本発明にかかるロータリ耕耘装置によれば、土壌消毒用の薬剤や蒸気を土中に供給又は投入する際にも、利用することができる。これによれば、例えば、土壌の深い層を消毒したい場合、浅い層に供給又は投入しない分だけ集中的に行うことができるため、土壌消毒を効率的に行うことができる。
【００３６】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３７】
１  トラクタ
１０  耕耘部
１１  メインビーム
１２  回動アーム（伝動ケース）
１３  回転軸
１４  回転耕耘爪ユニット
２０  施肥部
２１  肥料ホッパー
２２  肥料供給管
２３  肥料誘導管
２４  施肥孔
２５  スクリュー
２６  プーリー
３０  表土案内部
３１  案内板
３１ａ  先端部
３１ｂ  上り斜面部
３１ｃ  下り斜面部
３１ｄ  切刃
３２  回転送り爪ユニット
３３  回転軸
３４  直立ガイド部
４１  前方回転耕耘爪ユニット
４２  前方の伝動ケース
５１  ビーム端部
５２  昇降ハンドル
５３  ネジ軸
５４  連結部
【図１】
2013055892.tif 000003
【図２】
2013055892.tif 000004
【図３】
2013055892.tif 000005
【図４】
2013055892.tif 000006